(57)【特許請求の範囲】
【請求項１】
枡を設置した地表面に、上記枡の外周面に隙間を隔ててこの枡の周囲を囲む環状の締固め治具を配置し、この締固め治具の上面から締固め装置により上記地表面を締固める枡回りの締固め方法。
【請求項２】
枡を設置した地表面を、上記枡の周囲を含めて締固め装置により締固め、この締固めされた地表面に、上記枡の外周面に隙間を隔ててこの枡の周囲を囲む環状の締固め治具を配置し、この締固め治具の上面から締固め装置により上記地表面を再度締固める枡回りの締固め方法。
【発明の詳細な説明】
【０００１】
【発明の属する技術分野】
この発明は、排水枡等を設置した地表面における枡の周囲を締固め装置により締固める締固め方法に関する。
【０００２】
【従来の技術】
従来、道路等の整地作業において、排水枡等を設置した地表面を締固める場合に、枡の周囲もその他の部分も同様に、締固め装置のプレートを直接に地表面に当てて締固めを行っている。
【０００３】
【発明が解決しようとする課題】
しかし、上記従来の締固め方法によると、２つ以上の枡が、締固め装置のプレート幅寸法より狭い間隔で設置されているときに、枡の周囲に締固め装置を近付けることができず、枡の周囲の地表面を十分に締固めできないことがある。締固めが不十分であると、枡の周囲の舗装の沈下が生じ、枡が突出するという問題が生じる。特に、小口径枡の場合に、上記のように隣合う枡間の間隔が狭くて、締固めが行えないことが多く、枡回りの舗装の沈下を招いている。
また、排水枡等は塩化ビニール樹脂等からなる場合が多いので、枡周囲の地表面の締固めのために締固め装置を枡に接近させると、締固め装置が枡に衝突して枡を破損させてしまう恐れもある。このことからも、枡の周囲の締固めを十分に行うことが難しい。
【０００４】
この発明の目的は、枡の周囲の地表面の締固めを、枡を破損させることなく行え、また隣合う枡間の間隔がある程度狭くても締固めを行うことができ、締固め不足による枡廻りの舗装の沈下が防止できる枡廻りの締固め方法を提供することである。
【０００５】
【課題を解決するための手段】
この発明の枡回りの締固め方法は、枡を設置した地表面に、上記枡の外周面に隙間を隔ててこの枡の周囲を囲む環状の締固め治具を配置し、この締固め治具の上面から締固め装置により上記地表面を締固める方法である。締固め装置は、振動等を与えることで締固めるものであっても、転圧を行うもの、つまり静的圧力により機械的に締固めるものであって良い。
この方法によると、枡の周囲に環状の締固め治具を配置し、その上から締固め装置による加圧や振動の付与を行うため、締固め装置が枡の周辺の地表面突出物に干渉することが避けられる。そのため、２つ以上の枡が互いに近くに設置されていて、枡間の間隔が締固め装置のプレート幅寸法より狭い場合でも、締固め治具を介して枡回りの地表面を締固め装置で確実に締固めることができる。また、締固め装置が枡に衝突して枡を破損させる恐れがなく、枡の周囲を枡の近接部分まで確実に締固めることができる。これらのため、締固め不足による枡周囲の舗装の沈下が防止される。
【０００６】
この発明の締固め方法は、再締固め時に上記治具を用いるようにしても良い。すなわち、枡を設置した地表面を、上記枡の周囲を含めて締固め装置により締固め、この締固めされた地表面に、上記枡の外周面に隙間を隔ててこの枡の周囲を囲む環状の締固め治具を配置し、この締固め治具の上面から締固め装置により上記地表面を再度締固めるようにしても良い。
この方法の場合、第１段階として、枡の周囲を含めて地表面を締固め、締固めの行い難い枡の周辺のみを、環状の治具を介在させて再度締固めることにより、枡周囲の確実な締固めが行える。また、締固めの作業効率が良い。
【００１０】
【発明の実施の形態】
この発明の一実施形態を図１および図２と共に説明する。この実施形態に係る枡回りの締固め方法は、道路や敷地内の舗装面における舗装前の整地作業に適用される。この締固め方法は、上記整地作業おいて、図２（Ａ）に示すような排水枡等の枡１が設置されてから、埋め戻しが行われるとき、およびその後の砕石路盤整正時等に、地表面Ｇにおける枡１の周囲を締固める方法である。枡１は円筒状のものであり、埋め込み配管１１に接続されている。
この締固め方法は、図１に示す締固め治具２を用いる。締固め治具２は、同図（Ａ）〜（Ｃ）に上側斜視図、断面図および下側斜視図で示すように、枡１（図２）を囲み可能な円環状に形成されている。締固め治具２の上面２ａは、締固め装置３のプレート４（図２（Ｂ））を安定良く載せることができるように平坦面とされている。締固め治具２の断面形状は、概形が逆台形状とされ、外周面から下面２ｂにわたる部分２ｂｂ、すなわち下面２ｂの外周部が、断面円弧状の凸曲面とされている。締固め治具２の下面２ｂにおける内周部２ｂａ、つまり中央孔２ｃの周辺部は平坦面とされている。締固め治具２の材質は、例えばポリプロピレン系の合成樹脂による樹脂成形品とされている。
【００１１】
この枡回りの締固め方法は、第１段階として、枡１の周囲を含めて、地表面Ｇを締固め装置３により直接に締固める。締固め装置３は、地表面加圧用のプレート４と、このプレート４に振動を与える発動機等の振動付与源５とを有するものである。図２（Ａ）は第１段階の締固めを終えた状態を示す。第１段階の締固め作業では、枡１が塩化ビニル樹脂等からなる樹脂成形品であり、締固め装置３のプレート４を直接に地表面に当てるため、締固め装置３を枡１に近付け過ぎると、締固め装置３が枡１に衝突して枡１を破損させる恐れがある。また、枡１が２つ以上設置されていて、隣り合う２つの枡１，１の離間寸法が締固め装置３のプレート４の幅寸法より狭い場合には、枡１の周囲の地表面Ｇに締固め装置３を近付けることができない。このような理由により、第１段階の締固め作業では枡１の周辺の締固めが十分に行えないことがある。そこで、第２段階では、図２（Ｂ）に示すように、第１段階で締固められた地表面Ｇに、枡１の周囲を囲む環状の締固め治具２を配置し、この締固め治具２の上面２ａに締固め装置３を載せ、締固め治具２を介して地表面Ｇを再度締固める。
【００１２】
この第２段階では、枡１の周囲を囲む環状の締固め治具２を配置し、その上から締固め装置３で加圧や振動の付与を行うため、締固め治具２の下面によって、枡１の周囲の地表面Ｇが加圧され、枡１の直ぐ近くまで確実に締固めることができる。そのため、後に地表面Ｇに施される舗装（図示せず）が、締固め不足により、枡１の廻りで沈下することが防止される。
【００１３】
締固め治具２は、外周面から下面にわたる部分２ｂｂが、断面円弧状の凸曲面とされているため、この治具２による締固め部分とその周辺との間に段差を生じることなく、枡１の周囲を強く締固めることができる。また、この締固め治具２は、ポリプロピレン系の合成樹脂からなるため、十分な強度を持たせることができ、変質も生じ難くて耐久性に優れ、製造も容易である。また軽量となるので、取扱いも容易となる。
【００１４】
なお、上記実施形態では、第１および第２段階の締固めを行うようにしたが、舗装の種類や要求される品質によっては、第１段階の作業を省略し、締固め治具２を用いる第２段階の作業だけを行っても良い。
また、締固め治具２は、図１のように外周面から下面２ｂにわたる部分２ｂｂを凸曲面とする代わりに、図３に示すように単に断面逆台形としても良い。
【００１５】
【発明の効果】
この発明の枡回りの締固め方法は、枡を設置した地表面に、上記枡の外周面に隙間を隔ててこの枡の周囲を囲む環状の締固め治具を配置し、この締固め治具の上面から締固め装置により上記地表面を締固める方法であるため、枡の周囲の地表面の締固めを、枡を破損させることなく行え、また隣合う枡間の間隔がある程度狭くても締固めを行うことができ、締固め不足による枡廻りの舗装の沈下が防止できる。
【図面の簡単な説明】
【図１】（Ａ）はこの発明の一実施形態に係る枡回りの締固め方法に用いられる締固め治具の上側斜視図、（Ｂ）は同締固め治具の断面図、（Ｃ）は同締固め治具の下側斜視図である。
【図２】上記締固め方法を示す説明図である。
【図３】上記締固め治具の他の例を示す断面図である。
【符号の説明】
１…枡
２…締固め治具
２ｂ…下面
２ｂｂ…外周面から下面にわたる部分
３…締固め装置
Ｇ…地表面
【図１】
0004053353.tif 000002
【図２】
0004053353.tif 000003
【図３】
0004053353.tif 000004